(57)【要約】【課題】主幹ブレーカの取付ベースの強度確保を行いつつ、当該部分の空間を十分に確保することができる分電盤を提供する。【解決手段】ハウジングベース１２に取り付けられるとともに主幹ブレーカ５２を支持する取付ベース６０を備える。取付ベース６０は、主幹ブレーカ５２を支持する支持プレート６５と、支持プレート６５を支持する台座部６２と、台座部６２を挟んで台座部６２と一体形成されるとともにハウジングベース１２に取付可能なブリッジ部６３とを有する。取付ベース６０は、ブリッジ部６３間に電線を挿通可能な挿通スペースを有する。【選択図】図８
2015208096.tif 000002
【特許請求の範囲】
【請求項１】
有底筒状のハウジングベースと該ハウジングベースの開口部を塞ぐカバーとを有して形成される収容空間内に主幹ブレーカを収容してなる分電盤であって、
前記ハウジングベースに取り付けられるとともに前記主幹ブレーカを支持する取付ベースを備え、
前記取付ベースは、前記主幹ブレーカを支持する支持プレートと、該支持プレートを支持する台座部と、該台座部を挟んで該台座部と一体形成されるとともに前記ハウジングベースに取付可能なブリッジ部とを有し、
前記主幹ブレーカに接続する電線を挿通可能な挿通スペース、及び、前記電線の電流を測定する電流センサの取り付けスペースの少なくとも一方を前記ブリッジ間に備えることを特徴とする分電盤。
【発明の詳細な説明】
【技術分野】
【０００１】
本発明は、分電盤に関するものである。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等の内部機器と、内部機器が収容されるハウジングとを有して構成される（例えば特許文献１，２参照）。
【０００３】
このような分電盤のハウジングは、有底筒状のハウジングベースと、前記ハウジングベースの開口部を塞ぐカバーとを有する。ハウジングベースとカバーとで形成された収容空間内に前記内部機器が収容される。また、カバーには前記主幹ブレーカのハンドル（操作部）や分岐ブレーカのハンドルを露出させるための窓部が形成されて、ハンドルが操作可能となっている。
【０００４】
また、特許文献２の分電盤のように、主幹ブレーカはハウジングベース（特許文献２中のボディ）に対して取付ベースを介して取り付けられるものがある。この取付ベースは、前記主幹ブレーカを支持する金属製の支持プレートと、支持プレートの両側にそれぞれ１つ取り付けられるブリッジ部とを有している。支持本体部は主幹ブレーカとの取付部位と略同程度の大きさを有し、２つのブリッジ部の長手方向においてブリッジ部よりも短く形成される。これにより、支持本体部の周囲であって、前記ブリッジ部との間には電線を挿通することが可能な空間が形成されることとなる。
【先行技術文献】
【特許文献】
【０００５】
【特許文献１】特開２００９−２６８２５２号公報
【特許文献２】特開２０１２−１３５１１５号公報
【発明の概要】
【発明が解決しようとする課題】
【０００６】
ところで、近年のいわゆるオール電化住宅などでは、分電盤の主幹ブレーカに接続される電線は容量確保のために従来と比べて太くて固いものが多くなっている。このため、主幹ブレーカを支持する金属製の支持プレートも強度確保のために、主幹ブレーカよりも大きくする必要がある。しかしながら、単純に支持プレートを大きくすると、前述した電線挿通用の空間を狭めてしまい、電線の接続が困難となる虞がある。
【０００７】
また、住宅で消費する電流を計測する目的で、主幹ブレーカに接続する電線に対して電流センサ（ＣＴ）を複数個取り付ける場合に、前述と同様の理由で取り付けが困難となる。
【０００８】
本発明は、上記課題を解決するためになされたものであって、その目的は、主幹ブレーカの取付ベースの強度確保を行いつつ、当該部分の空間を十分に確保することができる分電盤を提供することにある。
【課題を解決するための手段】
【０００９】
上記課題を解決するために、分電盤は、有底筒状のハウジングベースと該ハウジングベースの開口部を塞ぐカバーとを有して形成される収容空間内に、主幹ブレーカを収容してなる分電盤であって、前記ハウジングベースに取り付けられるとともに前記主幹ブレーカを支持する取付ベースを備え、前記取付ベースは、前記主幹ブレーカを支持する支持プレートと、該支持プレートを支持する台座部と、該台座部を挟んで該台座部と一体形成されるとともに前記ハウジングベースに取付可能なブリッジ部とを有し、前記主幹ブレーカに接続する電線を挿通可能な挿通スペース、及び、前記電線の電流を測定する電流センサの取り付けスペースの少なくとも一方を前記ブリッジ間に備えることを特徴とする。
【発明の効果】
【００１０】
本発明の分電盤によれば、主幹ブレーカの取付ベースの強度確保を行いつつ、当該部分の空間を十分に確保することができる。
【図面の簡単な説明】
【００１１】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースに主幹ブレーカを取り付けた状態の平面図である。
【図７】同上におけるハウジングカバーの平面図である。
【図８】同上におけるハウジングベースと主幹ブレーカとの取付構造を説明するための分解斜視図である。
【発明を実施するための形態】
【００１２】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１３】
図２及び図３に示すように、ハウジング１１は、有底矩形筒状のハウジングベース１２と、ハウジングベース１２の開口部１２ａを覆う有底矩形筒状のハウジングカバー１３とを有する。
【００１４】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の挿通孔２１ａが開口している。底部２１には前記挿通孔２１ａを挟んで上下両側のそれぞれに、複数のガイド孔２１ｂが左右方向に複数並設される。ガイド孔２１ｂは挿通孔２１ａの上側と下側との両方に同数個形成されている。
【００１５】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１６】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。
【００１７】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００１８】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００１９】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバーＣ１や分岐ブレーカ用カバーＣ２などの各種カバーが取り付けられるようになっている。
【００２０】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２１】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２２】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２３】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２４】
図２に示すように、ハウジングカバー１３の底部３１を構成する前面３１ｃには、ハウジングカバー１３の前面３１ｃを覆うドア１４が開閉（回動）可能に設けられる。これにより、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００２５】
次に、ハウジングベース１２に対する主幹ブレーカ５２の取付方法（取付構造）について説明する。
図６及び図８に示すように、主幹ブレーカ５２は、ハウジングベース１２に対して取付ベース６０を介して取り付けられている。
【００２６】
取付ベース６０は、ベース本体６１と、ベース本体６１と前記主幹ブレーカ５２との間に介在されて前記主幹ブレーカ５２を支持する支持プレート６５とを有する。
ベース本体６１は、台座部６２と、台座部６２を左右方向において挟む２つのブリッジ部６３と有する。ベース本体６１は前記台座部６２と２つのブリッジ部６３とが一体成形されて構成される。
【００２７】
台座部６２は、後述する支持プレート６５の突起６６ａを挿通可能なように前後方向に貫通する挿通孔６２ａが複数形成されている。また、台座部６２には前記挿通孔６２ａと同一面側にねじＮ２を挿通可能なねじ挿通孔６２ｂが形成されている。
【００２８】
各ブリッジ部６３は、一方向に長い形状となるように形成され、その長手方向両端部にはねじＮ１を挿通可能なねじ挿通孔６３ａが形成される。このねじ挿通孔６３ａは、一方をガイド孔２１ｂと重なるように配置した際に、重ねたガイド孔２１ｂと挿通孔２１ａを挟んで反対側に位置するガイド孔２１ｂと重なる位置に形成される。また、各ブリッジ部６３は、自身の長手方向（上下方向）において台座部６２の同方向長さよりも長く形成される。このため、各ブリッジ部６３間には、台座部６２が介在される箇所と台座部６２が介在されない箇所とが存在することとなり、台座部６２が介在されない箇所（台座部６２の鉛直方向上側）を電線挿通用の挿通スペースＳＰ１として利用することが可能となっている。また、各ブリッジ部６３間には、前記台座部６２が介在されていない台座部６２の下方を電流センサＣＴ（）の取り付けスペースＳＰ２として利用することが可能となっている。
【００２９】
支持プレート６５は、板状をなすものであり、台座部６２に載置される台座側プレート６６と及びブリッジ部６３に載置されるブリッジ側プレート６７とが一体形成されてなる。
【００３０】
台座側プレート６６は、板面と直交する方向（前後方向）に延出する突起６６ａを有する。この突起６６ａは、ベース本体６１の台座部６２の挿通孔６２ａに挿通されて、台座部６２（ベース本体６１）に対する台座側プレート６６（支持プレート６５）の位置決めがなされることとなる。また、台座側プレート６６は、突起６６ａと挿通孔６２ａによる位置決めによって台座部６２のねじ挿通孔６２ｂと重なる位置に、ねじ挿通孔６６ｂが形成される。これによって支持プレート６５とベース本体６１との所謂共締めが可能となる。また、台座側プレート６６は、前記ねじ挿通孔６６ｂとは異なる位置にねじ挿通孔６６ｃが形成される。このねじ挿通孔６６ｃは、前後方向において台座部６２と重ならない位置に形成される。
【００３１】
ブリッジ側プレート６７は、各ブリッジ部６３の一面側における一部を覆うように各ブリッジ部６３に載置される。
上記のように構成された支持プレート６５は、ハウジングベース１２に取り付けられたベース本体６１に載置されてベース本体６１と主幹ブレーカ５２との間に介在されるように取り付けられる。ここで、主幹ブレーカ５２には、ベース本体６１のねじ挿通孔６２ｂ及び支持プレート６５のねじ挿通孔６６ｂと重なる位置にねじＮ２を挿通可能なねじ挿通孔５２ｂが形成される。これによって、主幹ブレーカ５２は、ねじＮ２によって取付ベース６０（ベース本体６１及び支持プレート６５）と共締めされることとなる。また、主幹ブレーカ５２には、支持プレート６５のねじ挿通孔６６ｃと重なる位置にねじＮ２を挿通可能なねじ挿通孔５２ｃが形成される。これによって、主幹ブレーカ５２は、ねじＮ２によって取付ベース６０の支持プレート６５と共締めされることとなる。
【００３２】
次に、本実施形態の分電盤の作用を説明する。
本実施形態の分電盤１０は、住宅内の所定の壁に取り付ける際、先ずハウジングベース１２を取り付けた後にハウジングカバー１３をハウジングベース１２に組み付けることとなる。ハウジングベース１２を壁に取り付ける際、ハウジングベース１２の矩形筒状部２２に形成された各突起２３ｔ，２４ｔによって左右方向に位置する住宅の壁や上方向に位置する天井と突起２３ｔ，２４ｔ分だけハウジングベース１２の側板部２３，２４が離間する。
【００３３】
また、ハウジングベース１２には、主幹ブレーカ５２が取付ベース６０を介して取り付けられている。取付ベース６０は、台座部６２とブリッジ部６３とが一体形成されてなるベース本体６１によって、主幹ブレーカ５２を支持する支持プレート６５を支持するように構成される。このため、支持プレート６５を従来と比べて小型化してもベース本体６１によって強度確保が図られている。これによって、電線を通す挿通スペースＳＰ１を十分確保することが可能となっている。
【００３４】
次に、本実施形態の効果を記載する。
（１）取付ベース６０は、支持プレート６５を主幹ブレーカ５２との間に介在させる台座部６２と、台座部６２を挟んで台座部６２と一体形成されるとともにハウジングベース１２の挿通孔２１ａを跨ぐように取付可能なブリッジ部６３とを有する。このように、台座部とブリッジ部６３とを一体形成することで、従来主に主幹ブレーカ５２を支持していた支持プレート６５だけでなく、台座部６２及びブリッジ部６３（ベース本体６１）で主幹ブレーカ５２を支持することが可能となる。これによって、取付ベース６０の強度を向上させることができるため、ブリッジ部６３間に設けられる電線を挿通可能な挿通スペースＳＰ１を広くしても十分に取付ベース６０の強度を確保することが可能となる。また、取付ベース６０の強度を向上させることができるため、ブリッジ部６３間であって、台座部６２の下方に設けられる取り付けスペースＳＰ２を確保することが可能となる。
【００３５】
なお、上記実施形態は、以下のように変更してもよい。
・上記実施形態では、台座部６２の鉛直方向上側を挿通スペースＳＰ１としたが、台座部６２をブリッジ部６３に対して鉛直方向上側よりとなるように形成することで、挿通スペースＳＰ１を台座部６２の鉛直方向下側となるように構成してもよい。要は、台座部６２をブリッジ部６３の長手方向の一方側に寄せて各ブリッジ部６３間に十分な挿通スペースＳＰ１を確保することが好ましい。
【００３６】
・上記実施形態では、電流センサＣＴの取り付けスペースＳＰ２を設ける構成としたが、取り付けスペースＳＰ２を省略した構成を採用してもよい。また、取り付けスペースＳＰ２に必ずしも電流センサＣＴを取り付けなくてもよい。
【００３７】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００３８】
・上記実施形態並びに上記変形例は適宜組み合わせてもよい。
【符号の説明】
【００３９】
１０…分電盤、１１…ハウジング、１２…ハウジングベース、１２ａ…開口部、１３…ハウジングカバー（カバー）、５２…主幹ブレーカ（ブレーカ）、６０…取付ベース、６２…台座部、６３…ブリッジ部、６５…支持プレート、ＣＴ…電流センサ、ＳＰ１…挿通スペース、ＳＰ２…取り付けスペース。
【図１】
2015208096.tif 000003
【図２】
2015208096.tif 000004
【図３】
2015208096.tif 000005
【図４】
2015208096.tif 000006
【図５】
2015208096.tif 000007
【図６】
2015208096.tif 000008
【図７】
2015208096.tif 000009
【図８】
2015208096.tif 000010